Podtech/llm-jp-corpus-v4-ja_patent huggingface dataset:
【手続補正書】
【提出日】平成18年8月21日(2006.8.21)
【手続補正１】
【補正対象書類名】特許請求の範囲
【補正対象項目名】全文
【補正方法】変更
【補正の内容】
【特許請求の範囲】
【請求項１】
遊技球を貯留する貯留部と、該貯留部に遊技球を払い出す払出装置と、該貯留部から遊技球を受け入れる受入装置とを備え、前記受入装置により遊技媒体を受け入れたことに基づいて遊技を行うようにした遊技機において、
遊技球を仮想遊技球として記憶する仮想遊技球記憶手段と、
仮想遊技球記憶手段に記憶された仮想遊技球を貯留部へ払い出すべく操作される操作手段と、
仮想遊技球記憶手段に記憶された仮想遊技球が存在する場合にその仮想遊技球を優先的に用いて遊技を行わせる第１遊技モードと全て現実の遊技球を用いて遊技を行わせる第２遊技モードとを択一的に設定するモード設定手段と、
前記操作手段の操作に応じて前記第１遊技モードと前記第２遊技モードとを切り替えるモード切替手段と、
を備えたことを特徴とする遊技機。
【請求項２】
遊技球を貯留する貯留部と、該貯留部に遊技球を払い出す払出装置と、該貯留部から遊技球を受け入れる受入装置とを備え、前記受入装置により遊技媒体を受け入れたことに基づいて遊技を行うようにした遊技機において、
遊技球を仮想遊技球として記憶する仮想遊技球記憶手段と、
仮想遊技球記憶手段に記憶された仮想遊技球を貯留部へ払い出すべく操作される操作手段と、
仮想遊技球記憶手段に記憶された仮想遊技球が存在する場合にその仮想遊技球を優先的に用いて遊技を行わせる第１遊技モードと全て現実の遊技球を用いて遊技を行わせる第２遊技モードとを択一的に設定するモード設定手段と、
前記受入装置の駆動により少なくとも次の遊技回に必要な数分の遊技球を自動的に受け入れる遊技球自動受入手段と、
前記操作手段の操作に応じて前記第１遊技モードと前記第２遊技モードとを切り替えるとともに、そのモード切替に合わせて前記遊技球自動受入手段による遊技球の自動受入を非実施とするモード切替手段と、
を備えたことを特徴とする遊技機。
【請求項３】
前記遊技媒体自動受入手段は、少なくとも次の遊技回に必要な数分の遊技媒体を仮想遊技媒体として前記仮想遊技媒体記憶手段に貯留記憶し、その後の賭数設定手段による賭数設定操作により電気的に受入処理するものであることを特徴とする請求項２に記載の遊技機。
【請求項４】
前記モード切替手段は、前記操作手段の操作に伴う仮想遊技球の払出に際し当該仮想遊技媒体の払出完了後に遊技モードの切り替えを実施することを特徴とする請求項１乃至３のいずれかに記載の遊技機。
【請求項５】
前記仮想遊技球記憶手段に記憶された仮想遊技球数を表示する記憶球数表示手段と、前記第１遊技モードの設定下では記憶球数表示手段を表示状態とするとともに前記第２遊技モードの設定下では記憶球数表示手段を非表示状態とする表示切替手段とを更に備えたことを特徴とする請求項１乃至４のいずれかに記載の遊技機。
【手続補正書】
【提出日】平成18年8月21日(2006.8.21)
【手続補正１】
【補正対象書類名】特許請求の範囲
【補正対象項目名】全文
【補正方法】変更
【補正の内容】
【特許請求の範囲】
【請求項１】
遊技球、遊技メダル等の遊技媒体を貯留する貯留部と、該貯留部に遊技媒体を払い出す払出装置と、該貯留部から遊技媒体を受け入れる受入装置とを備え、前記受入装置により遊技媒体を受け入れたことに基づいて遊技を行うようにした遊技機において、
遊技媒体を仮想遊技媒体として記憶する仮想遊技媒体記憶手段と、
仮想遊技媒体記憶手段に記憶された仮想遊技媒体を貯留部へ払い出すべく操作される操作手段と、
前記受入装置の駆動により少なくとも次の遊技回に必要な数分の遊技媒体を自動的に受け入れる遊技媒体自動受入手段と、
前記操作手段の操作に応じて、遊技媒体自動受入手段による遊技媒体の自動受入を非実施とする自動受入切替手段と、
を備えたことを特徴とする遊技機。
【請求項２】
前記操作手段が操作された時、前記遊技媒体自動受入手段により既に遊技媒体が自動受入されていれば、自動受入済みの遊技媒体を無効化するとともにその自動受入分の遊技媒体を払い出すか又は仮想遊技媒体として貯留記憶することを特徴とする請求項１に記載の遊技機。
【請求項３】
前記操作手段が操作された時、前記遊技媒体自動受入手段により自動受入された遊技媒体がないことを条件に、前記仮想遊技媒体記憶手段に記憶された仮想遊技媒体を貯留部へ払い出すことを特徴とする請求項１又は２に記載の遊技機。
【請求項４】
前記遊技媒体自動受入手段は、少なくとも次の遊技回に必要な数分の遊技媒体を仮想遊技媒体として前記仮想遊技媒体記憶手段に貯留記憶し、その後の賭数設定手段による賭数設定操作により電気的に受入処理するものであることを特徴とする請求項１乃至３のいずれかに記載の遊技機。
【請求項５】
前記仮想遊技媒体記憶手段に記憶された仮想遊技媒体数を表示する記憶媒体数表示手段と、遊技媒体自動受入の実施時には記憶媒体数表示手段を表示状態とするとともに遊技媒体自動受入の非実施時には記憶媒体数表示手段を非表示状態とする表示切替手段とを更に備えたことを特徴とする請求項１乃至４のいずれかに記載の遊技機。
【請求項６】
毎回の遊技の開始条件の一つとして操作される、前記操作手段とは別の操作手段と、
前記別の操作手段の操作に応じて、前記遊技媒体自動受入手段による遊技媒体の自動受入を開始する自動受入開始手段と、
を更に備えたことを特徴とする請求項１乃至５のいずれかに記載の遊技機。
【請求項７】
前記別の操作手段は、前記仮想遊技媒体記憶手段に記憶された仮想遊技媒体を必要数分用いて賭数を設定するための操作手段よりなることを特徴とする請求項６に記載の遊技機。
【請求項８】
前記操作手段は、実際に操作されている期間中だけ仮想遊技媒体の払出を行わせ、操作終了時点で仮想遊技媒体の払出を取りやめるようにしたものであって、前記操作手段の操作終了時に、前記遊技媒体自動受入手段による遊技媒体の自動受入を開始する自動受入開始手段を更に備えたことを特徴とする請求項１乃至５のいずれかに記載の遊技機。
【手続補正書】
【提出日】平成18年5月10日(2006.5.10)
【手続補正１】
【補正対象書類名】特許請求の範囲
【補正対象項目名】全文
【補正方法】変更
【補正の内容】
【特許請求の範囲】
【請求項１】
相対的に変位する第一部材および第二部材を備え、前記第一部材が前記第二部材に対して遊技媒体を搬送する遊技機であって、
前記第一部材と前記第二部材との間隙に前記遊技媒体が挟まることを防止する防止手段を備え、
前記第二部材は、前記第一部材に搬送されている前記遊技媒体を受け入れる受入口を備えてなり、
前記防止手段は、前記第一部材と前記第二部材との相対的な位置に基づいて、前記遊技媒体を前記第一部材から前記第二部材の前記受入口へと移動させて、前記第一部材と前記第二部材の受入口との間隙に前記遊技媒体が挟まることを防止する移動制御手段を備えてなる
ことを特徴とする遊技機。
【請求項２】
請求項１に記載の遊技機において、
前記第一部材と前記第二部材とが相対的に変位する方向と、前記遊技媒体が前記第一部材から前記第二部材の前記受入口へと移動する方向とが異なる
ことを特徴とする遊技機。
【請求項３】
請求項１または請求項２に記載の遊技機において、
前記受入口を前記遊技媒体の受け入れを禁止する状態と許可する状態との間で切替可能な可動部材を備え、
前記防止手段は、前記第一部材と前記第二部材との相対的な位置に基づいて、前記可動部材が前記受入口を前記遊技媒体の受け入れを禁止する状態から許可する状態へと切り替えることで、前記第一部材と前記第二部材の前記受入口との間隙に前記遊技媒体が挟まることを防止する切替制御手段を備えてなる
ことを特徴とする遊技機。
【請求項４】
請求項３に記載の遊技機において、
前記防止手段は、前記第一部材の位置を検出する位置検出手段を備えてなり、
前記切替制御手段は、前記位置検出手段により検出された前記第一部材の位置に基づいて、前記可動部材が前記受入口を前記遊技媒体の受け入れを禁止する状態から許可する状態へと切り替えることで、前記第一部材と前記第二部材の前記受入口との間隙に前記遊技媒体が挟まることを防止するものである
ことを特徴とする遊技機。
【手続補正書】
【提出日】平成18年2月2日(2006.2.2)
【手続補正１】
【補正対象書類名】特許請求の範囲
【補正対象項目名】全文
【補正方法】変更
【補正の内容】
【特許請求の範囲】
【請求項１】
基礎底と、
打撃台と、
前記打撃台を前記基礎底に対して傾動自在に支持する傾動機構とを構成し、
前記傾動機構は、
前記基礎底に支持され前記打撃台を第１傾動方向に回転可能に支持する第１回転軸と、
前記基礎底に支持され前記打撃台を第２傾動方向に回転可能に支持する第２回転軸と、
前記基礎底と前記打撃台との間に介設される複数の開きばねと、
前記第１回転軸のまわりに回転して傾動する前記打撃台の第１最大傾動角度を制限する第１制限機構と、
前記第２回転軸のまわりに回転して傾動する前記打撃台の第２最大傾動角度を制限する第２制限機構とを構成し、
前記開きばねは自然に開く力を有し、前記開く力は前記第１傾動と前記第２傾動の傾動力を与える
ゴルフ練習台。
【請求項２】
渦巻きばねが前記開きばねとして用いられる
請求項１のゴルフ練習台。
【請求項３】
前記渦巻きばねは、
巻き部分と、
前記巻き部分の一端部位に連結する第１接線方向部分と、
前記巻き部分の他端部位に連結する第２接線方向部分とを形成し、
前記巻き部分には軸棒が通され、前記軸棒は前記基礎底に支持され、
前記第１接線方向部分は前記打撃台を支持し、前記第２接線方向部分は前記基礎底に支持される
請求項２のゴルフ練習台。
【請求項４】
前記第１接線方向部分と前記打撃台との間に介設される傾動体を更に構成し、前記傾動体の一端部位は前記第１接線方向部分に支持され、前記傾動体の他端部位は前記打撃台を支持する
請求項３のゴルフ練習台。
【請求項５】
前記傾動体は、前記傾動体の前記他端部位と前記打撃台の間に介設されるローラを形成する
請求項４のゴルフ練習台。
【請求項６】
前記第２制限機構は前記第１制限機構に構造的に同じであり、
前記第１制限機構は、
前記基礎底に支持される高減速比電動モータと、
前記高減速比電動モータの出力軸に結合する噛合い輪と、
前記噛合い輪に噛み合う噛合い帯と、
前記噛合い帯の一端部位と前記基礎底の間に介設される引きスプリングとを形成し、
前記噛合い帯の他端部位は前記打撃台に固着されている
請求項２又は３のゴルフ練習台。
【請求項７】
第１支持脚と、
第２支持脚と、
前記第１支持脚を回転させ前記第１支持脚を回転自在に支持する第１支持脚回転用高減速比電動モータと、
前記第２支持脚を回転させ前記第２支持脚を回転自在に支持する第２支持脚回転用高減速比電動モータとを更に構成し、
前記第１支持脚は前記第１回転軸のまわりに回転して前記第１最大傾動角度で傾動する前記打撃台を前記基礎底に対して支持し、
前記第２支持脚は前記第２回転軸のまわりに回転して前記第２最大傾動角度で傾動する前記打撃台を前記基礎底に対して支持する
請求項２又は３のゴルフ練習台。
【請求項８】
前記傾動機構は、
前記基礎底に支持され前記打撃台を第３傾動方向に回転可能に支持する第３回転軸と、
前記基礎底に支持され前記打撃台を第４傾動方向に回転可能に支持する第４回転軸と、
前記第３回転軸のまわりに回転して傾動する前記打撃台の第３最大傾動角度を制限する第３制限機構と、
前記第４回転軸のまわりに回転して傾動する前記打撃台の第４最大傾動角度を制限する第４制限機構
とを更に構成する請求項２のゴルフ練習台。
【請求項９】
前記第４回転軸は前記第３回転軸に直交し、前記第３回転軸は前記第２回転軸に直交し、前記第２回転軸は前記第１回転軸に直交し、第１回転軸と前記第２回転軸と前記第３回転軸と前記第４回転軸は、それぞれに、前記基礎底の周辺領域に配置されている
請求項８のゴルフ練習台。
【請求項１０】
前記基礎底は、第１象限部分と第２象限部分と第３象限部分と第４象限部分とで形成され、第１象限部分と第２象限部分と第３象限部分と第４象限部分は中心線対称に配置され、
前記渦巻きばねは、
前記第１象限部分に属する複数の第１渦巻きばねと、
前記第２象限部分に属する複数の第２渦巻きばねと、
前記第３象限部分に属する複数の第３渦巻きばねと、
前記第４象限部分に属する複数の第４渦巻きばねとを形成する
請求項９のゴルフ練習台。
【請求項１１】
移動可能である操作ボックスを更に構成し、
前記操作ボックスは、前記打撃台の前記第１傾動方向の回転と、前記打撃台の前記第２傾動方向の回転と、前記打撃台の前記第３傾動方向の回転と、前記打撃台の前記第４傾動方向の回転と、前記打撃台を水平位置に戻す回転とを選択する
請求項１０のゴルフ練習台。
【請求項１２】
水平位置にある前記打撃台の上面と前記基礎底の下面との間の高さ距離は３０ｃｍ以下である
請求項２〜１１から選択される１請求項のゴルフ練習台。
【手続補正書】
【提出日】平成18年5月31日(2006.5.31)
【手続補正１】
【補正対象書類名】特許請求の範囲
【補正対象項目名】全文
【補正方法】変更
【補正の内容】
【特許請求の範囲】
【請求項１】
柔軟性の第１容器にチューブを介して複数の柔軟性の別容器を接続した多連式容器を使用し、前記第１容器に貯蔵された血液を少なくとも血漿層と赤血球層とに遠心分離し、前記第１容器を、第１圧送手段を備えた第１収容部にセットし、前記チューブの途中部分をチューブクランプ手段でクランプし、前記第１圧送手段により血漿層を前記別容器の一つに圧送して前記別容器の一つに貯蔵し、前記多連式容器を取り外すように使用される血液分離装置であって、
血漿層と赤血球層の境界層のレベル検出をするために、前記第１収容部に配設されるレベル検出手段と、
前記チューブの途中部分を挟持して気泡の有無検出を行う気泡検出手段と、
前記レベル検出手段に接続されるとともに、前記気泡検出手段による前記有無検出に応じて前記第１圧送手段の制御を行う制御手段と、
を備えることを特徴とする血液分離装置。
【請求項２】
前記第１の容器に貯蔵された血液は、白血球除去フィルターにより白血球が予め除去されたものであり、
前記制御手段は、前記第１圧送手段により前記第１容器を押圧して、前記白血球除去フィルターから前記第１容器に導入した空気を前記血漿層を貯蔵する容器以外の前記別容器の一つに送り出すことを特徴とする請求項１に記載の血液分離装置。
【請求項３】
前記多連式容器は、少なくとも前記第１容器から前記圧送される血漿層を貯蔵する第２容器と、第２圧送手段を有した第２収容部にセットされ、前記第２圧送手段により前記第１容器に対して圧送される血液保存液を予め貯蔵した第４容器とを備え、
前記チューブクランプ手段は、少なくとも前記第１容器と前記第２容器間に接続されるチューブを前記第１容器の近くでクランプする第１クランプ部と前記第２容器の近くでクランプする第２クランプ部と、前記第１容器と前記第４容器間に接続されるチューブを前記クランプする第３クランプ部とを備え、
前記気泡検出手段は、前記第１クランプ部と前記第２クランプ部の間に配設されていることを特徴とする請求項１または２に記載の血液分離装置。
【請求項４】
柔軟性の第１容器にチューブを介して複数の柔軟性の別容器を接続した多連式容器を使用し、前記第１容器に貯蔵された原料血液を少なくとも血漿層と赤血球層とに遠心分離し、前記第１容器を、第１圧送手段を備えた第１収容部にセットし、前記チューブの途中部分をチューブクランプ手段でクランプし、前記第１圧送手段により血漿層を前記別容器の一つに圧送して前記別容器の一つに貯蔵し、前記多連式容器を取り外す血液分離方法であって、
前記第１収容部に配設されるレベル検出手段により、血漿層と赤血球層の境界層のレベル検出をする工程と、
気泡検出手段により、前記チューブの途中部分を挟持して気泡の有無検出を行う工程と、
前記レベル検出手段に接続される制御手段により、前記気泡検出手段による前記有無検出に応じて前記第１圧送手段の制御を行う工程と、
を備えることを特徴とする血液分離装置。
【請求項５】
前記第１の容器に貯蔵された血液は、白血球除去フィルターにより白血球が予め除去されたものであり、
前記制御手段は、前記気泡検出手段により、気泡検出無しを検出するまで、前記第１圧送手段により前記第１容器を押圧して、前記白血球除去フィルターから前記第１容器に導入した空気を前記血漿層を貯蔵する容器以外の前記別容器の一つに圧送する送り出すことを特徴とする請求項４に記載の血液分離装置。
【請求項６】
前記多連式容器は、少なくとも前記第１容器から前記圧送される血漿層を貯蔵する第２容器と、第２圧送手段を有した第２収容部にセットされ、前記第２圧送手段により前記第１容器に対して圧送される血液保存液を予め貯蔵した第４容器とを備え、
前記チューブクランプ手段は、少なくとも前記第１容器と前記第２容器間に接続されるチューブを前記第１容器の近くでクランプする第１クランプ部と前記第２容器の近くでクランプする第２クランプ部と、前記第１容器と前記第４容器間に接続されるチューブを前記クランプする第３クランプ部とを備え、
前記気泡検出手段は、前記第１クランプ部と前記第２クランプ部の間に配設されていることを特徴とする請求項４または５に記載の血液分離装置。
【手続補正書】
【提出日】平成18年6月27日(2006.6.27)
【手続補正１】
【補正対象書類名】特許請求の範囲
【補正対象項目名】全文
【補正方法】変更
【補正の内容】
【特許請求の範囲】
【請求項１】
被検体との間で超音波を送受信する探触子と、該探触子に超音波信号を供給する送信部と、前記探触子により受波された反射エコー信号を受信する受信部と、受信された反射エコー信号に基づいて超音波像を構成する画像構成部と、構成された超音波像を表示する表示部と、前記各部を制御する制御部とを備え、
前記被検体に投与される非崩壊型の造影剤の作用を励起させる造影撮像用の超音波信号と組織撮像用の超音波信号の切換を設定する手段を有したことを特徴とする超音波診断装置。
【請求項２】
前記造影撮像用の超音波信号は、気泡を振動させて得ることを特徴とする請求項１に記載の超音波診断装置。
【請求項３】
前記表示部は、前記造影撮像用の超音波信号に対応した反射エコー信号に基づき構成した超音波像と、前記組織撮像用の超音波信号に対応した反射エコー信号に基づき構成した超音波像とを同一画面上の異なる表示領域に同一時に表示することを特徴とする請求項１又は２に記載の超音波診断装置。
【手続補正２】
【補正対象書類名】明細書
【補正対象項目名】０００２
【補正方法】変更
【補正の内容】
【０００２】
超音波診断装置は、探触子を介して被検体に超音波を照射すると共に被検体から発生する反射エコー信号を受信し、受信した反射エコー信号に基づいて超音波像（例えば、Ｂモード像、Ｍモード像等）を構成するものである。
【手続補正３】
【補正対象書類名】明細書
【補正対象項目名】０００９
【補正方法】変更
【補正の内容】
【０００９】
上記課題を解決するため、本発明の超音波診断装置は、被検体との間で超音波を送受信する探触子と、その探触子に超音波信号を供給する送信部と、その探触子により受波された反射エコー信号を受信する受信部と、受信された反射エコー信号に基づいて超音波像を構成する画像構成部と、構成された超音波像を表示する表示部と、その各部を制御する制御部とを備え、被検体に投与される非崩壊型の造影剤の作用を励起させる造影撮像用の超音波信号と組織撮像用の超音波信号の切換を設定する手段を有したことを特徴とする。
【手続補正４】
【補正対象書類名】明細書
【補正対象項目名】００１２
【補正方法】変更
【補正の内容】
【００１２】
また、造影剤由来の超音波像と組織由来の超音波像を対比し易くするために、造影撮像用の超音波信号に対応した反射エコー信号に基づき構成した超音波像と、組織撮像用の超音波信号に対応した反射エコー信号に基づき構成した超音波像とを同一画面上の異なる表示領域に同一時に表示する。これにより、検者は視線をそれほど動かさずに２つの画像を対比することができるため、診断部位の位置決めや治療部位の同定をより一層容易に行うことができる。
【手続補正５】
【補正対象書類名】明細書
【補正対象項目名】００１８
【補正方法】変更
【補正の内容】
【００１８】
画像構成部１８は、送受信部１６から出力される反射エコー信号に基づいて超音波像（例えば、Ｂモード像、Ｍモード像、カラー弾性率画像など）を構成するものである。ＤＳＣ２０は、画像構成部１８から出力された超音波像を表示座標系の信号に変換する。また、入力部２８は、トラックボール・マウスあるいは心電波形や心拍数を取り込むインターフェースなどを有している。グラフィック構成部３０は、入力部２８により取り込まれた心電波形を表示用のグラフィックに構成するものである。合成部２２は、ＤＳＣ２０から出力された超音波像とグラフィック構成部３０から出力された心電波形を画像合成する。表示部２４は、合成部２２から出力された画像をモニタに表示するものである。また、入力部２８には、通常撮像モードと造影撮像モードを切り替える切り替えスイッチ２６が設けられている。
【手続補正６】
【補正対象書類名】明細書
【補正対象項目名】００１９
【補正方法】変更
【補正の内容】
【００１９】
このように構成される超音波診断装置１の通常撮像モードにおける動作について説明する。まず、被検体に探触子１０を接触させる。探触子１０に送信部１２から超音波信号つまり駆動信号が供給される。供給された超音波信号により探触子１０の振動子から超音波が射出される。被検体から発生した反射エコー信号は探触子１０の振動子により受波された後、受信部１４により増幅などの受信処理が施される。受信部１４から出力された反射エコー信号は、アナログディジタル変換部（ＡＤ変換部）によりディジタル化される。ディジタル化された反射エコー信号が1又は複数の走査線ごとにラインメモリに記憶され、1フレームの画像データが作成される。作成された画像データは、画像構成部１８により超音波像が構成される。構成された超音波像は、ＤＳＣ２０により表示用信号に変換される。また、被検体から取得した心電波形が入力部２８に入力され、入力された心電波形はグラフィック構成部３０により画像化される。そして、画像化された心電波形は、ＤＳＣ２０から出力される超音波像に合成部２２により時間的に同期して合成される。合成部２２から出力される合成画像は表示部２４のモニタに表示される。
【手続補正７】
【補正対象書類名】明細書
【補正対象項目名】００２４
【補正方法】変更
【補正の内容】
【００２４】
次に、非崩壊型造影剤が投与されてから（Ｔ２）通常モードに切り替えられるまで（Ｔ４）の動作について説明する。非崩壊型の造影剤が被検体の例えば静脈内などに投与され（Ｔ２）る。投与された非崩壊型の造影剤が、診断部位（例えば腫瘍血管など）に拡散する（Ｔ３）。拡散した造影剤の気泡は、造影撮像用パラメータに基づき探触子１０から射出された造影撮像用の超音波（例えば、周波数２ＭＨｚのもの）により共振し、その共振信号が探触子１０を介して受信部１４により受信される。受信された共振信号は、バンドパスフィルタ４２により設定周波数成分が抽出される。これにより、鮮明な造影剤由来の超音波像（Ａ´）が構成される。
【手続補正８】
【補正対象書類名】明細書
【補正対象項目名】００２５
【補正方法】変更
【補正の内容】
【００２５】
造影剤由来の超音波像（Ａ´）を1フレーム取得した後、組織撮像用パラメータに基づき探触子１０から組織撮像用の超音波（例えば、周波数３．５ＭＨｚのもの）が射出される。そして、被検体から発生した反射エコー信号は、探触子１０を介して受信部１４により受信される。受信された反射エコー信号は、バンドパスフィルタ４４により設定周波数成分が抽出される。これにより、鮮明な組織由来の超音波像（Ｂ）が構成される。
【手続補正書】
【提出日】平成18年1月27日(2006.1.27)
【手続補正１】
【補正対象書類名】特許請求の範囲
【補正対象項目名】全文
【補正方法】変更
【補正の内容】
【特許請求の範囲】
【請求項１】
遊技機裏側の機構セット盤に設けられた貯留部に配設され、該貯留部内における貯留球の球圧を受けない第１位置と該球圧を受けた第２位置とに変動する球感知操作部材と、該球感知操作部材の変動に応じて操作されて作動変化することで貯留球の有無を検出し得る検出スイッチとを備える遊技機において、
前記貯留部内に画成されて前記検出スイッチが収容セット可能で、かつ前記球感知操作部材に形成された操作部が位置する収容空間部と、
前記収容空間部に対応する貯留部の壁面に開設されて外部と収容空間部とを連通し、前記検出スイッチが挿脱可能な開口部とからなり、
前記検出スイッチを開口部から前記収容空間部に挿入して収容セットすることで、該検出スイッチの検出部が、前記球感知操作部材の操作部で操作可能な位置に位置決めされるよう構成されている
ことを特徴とする遊技機における検出スイッチの取付構造。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００３５
【補正方法】変更
【補正の内容】
【００３５】
〔付記１〕
遊技機における検出スイッチの取付構造に関し、前記収容空間部には、前記取付けベース部材を案内する案内部が、該取付けベース部材の挿脱方向に沿って延在するよう形成されるようにする。
そして、この付記１の構成によれば、収容空間部に設けた案内部が、取付けベース部材を収容空間部に対して挿脱する際の案内となり、取付けおよび取外し作業が容易となる作用効果を奏する。
【手続補正書】
【提出日】平成18年8月25日(2006.8.25)
【手続補正１】
【補正対象書類名】特許請求の範囲
【補正対象項目名】全文
【補正方法】変更
【補正の内容】
【特許請求の範囲】
【請求項１】
被検体の内部に導入されて、被検体内情報を取得する被検体内導入装置に対して、前記被検体の外部から電力を供給する電力供給装置において、
前記被検体を被覆する衣類の周面に巻回されて配設され、コイルを形成する導電線と、
前記衣類の着用時に、前記コイルの自己インダクタンスを一定に保持する保持手段と、
前記コイルを介して被接触で前記被検体内導入装置に電力を供給する電力供給手段と、
を備えたことを特徴とする電力供給装置。
【請求項２】
前記保持手段は、前記衣類の着用時に、前記被検体の体型に対応させて、前記衣類を変形させて前記コイルの自己インダクタンスを一定に保持することを特徴とする請求項１に記載の電力供給装置。
【請求項３】
前記保持手段は、前記衣類の周面に設けられた弾性体または紐からなり、前記衣類の着用時に、前記被検体の体型に対応させて、前記衣類を変形させることを特徴とする請求項２に記載の電力供給装置。
【請求項４】
前記保持手段は、前記衣類の周面に、スプリングワイヤと、該スプリングワイヤが固定される固定部材とからなることを特徴とする請求項２に記載の電力供給装置。
【請求項５】
前記コイルは、少なくとも２本の導電線から形成され、前記保持手段は、前記各コイルを前記衣類の周面に斜めで、かつ対称的に巻回される構成からなることを特徴とする請求項１に記載の電力供給装置。
【請求項６】
前記保持手段は、前記コイルのループを縮めるために前記導電線を巻き取る巻取部材と、前記巻取部材を係止する係止部材と、を有することを特徴とする請求項１に記載の電力供給装置。
【手続補正２】
【補正対象書類名】明細書
【補正対象項目名】００１２
【補正方法】変更
【補正の内容】
【００１２】
また、請求項４の発明は、前記保持手段は、前記衣類の周面に、スプリングワイヤと、該スプリングワイヤが固定される固定部材とからなることを特徴とする。
また、請求項５の発明は、前記コイルは、少なくとも２本の導電線から形成され、前記保持手段は、前記各コイルを前記衣類の周面に斜めで、かつ対称的に巻回される構成からなることを特徴とする。
また、請求項６の発明は、前記保持手段は、前記コイルのループを縮めるために前記導電線を巻き取る巻取部材と、前記巻取部材を係止する係止部材と、を有することを特徴とする。
【手続補正書】
【提出日】平成18年8月21日(2006.8.21)
【手続補正１】
【補正対象書類名】特許請求の範囲
【補正対象項目名】全文
【補正方法】変更
【補正の内容】
【特許請求の範囲】
【請求項１】
遊技球を貯留する球受皿を有し、該球受皿に貯留した遊技球を順次投入する構成とした遊技機において、
遊技機本体の内部側に位置し前記球受皿に対しての遊技球の排出を可能とする内部側貯留部と、前記球受皿から前記内部側貯留部へ遊技球を誘導するための誘導通路とを設けたことを特徴とする遊技機。
【請求項２】
前記誘導通路を、球受皿から内部側貯留部に向けて下方に傾斜して設けたことを特徴とする請求項１に記載の遊技機。
【請求項３】
払出装置からの払出球を前記球受皿に排出する排出通路よりも上流側に前記誘導通路を設けたことを特徴とする請求項１又は２に記載の遊技機。
【請求項４】
遊技球を貯留する第１貯留部を遊技機開放部分に設けるとともに、その遊技機後方における遊技機閉鎖部分に同じく遊技球を貯留する第２貯留部を設け、第１貯留部に排出通路を介して第２貯留部から遊技球を排出し、第１貯留部の最下流部分より遊技球を順次投入する構成とした遊技機であって、
第１貯留部から第２貯留部へ遊技球を誘導するための誘導通路を設けたことを特徴とする遊技機。
【請求項５】
遊技機本体の前面壁部を挟んでその前方側及び後方側に、遊技機正面から見て左右方向に延びそれぞれ所定方向に向けて傾斜する第１貯留部と第２貯留部とを並設し、第２貯留部に払出装置から遊技球を払い出す一方、第１貯留部に排出通路を介して第２貯留部から遊技球を排出し、第１貯留部の最下流部分より遊技球を順次投入する構成とした遊技機であって、
第１貯留部から第２貯留部へ遊技球を誘導するための誘導通路を設けたことを特徴とする遊技機。
【請求項６】
前記誘導通路を、第１貯留部から第２貯留部に向けて下方に傾斜して設けたことを特徴とする請求項４又は５に記載の遊技機。
【請求項７】
前記第１貯留部における前記排出通路よりも上流側に前記誘導通路を設けたことを特徴とする請求項４乃至６のいずれかに記載の遊技機。
【請求項８】
前記第１貯留部に、遊技球投入口に通じる低位側貯留域とそれよりも高位となる高位側貯留域とを設け、低位側貯留域の上流部分に前記排出通路を設ける一方、高位側貯留域の上流部分に前記誘導通路を設けたことを特徴とする請求項４乃至７のいずれかに記載の遊技機。
【請求項９】
前記低位側貯留域と前記高位側貯留域とを遊技機前後方向に折り重なるようにして設けたことを特徴とする請求項８に記載の遊技機。
【請求項１０】
前記第１貯留部の遊技球貯留容量よりも前記第２貯留部の遊技球貯留容量を大きくしたことを特徴とする請求項４乃至９のいずれかに記載の遊技機。
【手続補正書】
【提出日】平成17年11月8日(2005.11.8)
【手続補正１】
【補正対象書類名】特許請求の範囲
【補正対象項目名】全文
【補正方法】変更
【補正の内容】
【特許請求の範囲】
【請求項１】
パルス幅変調の転換による直流電圧ユニットにおいて、少なくとも、
スイッチ部を具え、導通（オン）、非導通（オフ）の作用を生成することができ、
駆動部を具え、該スイッチ部に接続して該スイッチ部のオン、オフ作用を生じさせ、
第一定電圧部を具え、該スイッチ部に接続して電圧を生成することができ、
ブリッジ接続部を具え、該第一定電圧部に接続して該第一定電圧部の単方向出力を保持し、
第二定電圧部を具え、ブリッジ接続部に接続して電圧を生成することができ、
蓄電装置を具え、第二定電圧部に接続し、該第一定電圧部、第二定電圧部が出力する電力を充放電でき、
以上から成ることを特徴とするパルス幅変調の転換による直流電圧ユニット。
【請求項２】
スイッチ部に少なくとも一つのスイッチ構成部材を具えて成ることを特徴とする請求項１記載のパルス幅変調の転換による直流電圧ユニット。
【請求項３】
ブリッジ接続部をダイオードとして成ることを特徴とする請求項１記載のパルス幅変調の転換による直流電圧ユニット。
【請求項４】
第一定電圧部を抵抗と抵抗を直列接続したものとできるようにして成ることを特徴とする請求項１記載のパルス幅変調の転換による直流電圧ユニット。
【請求項５】
第一定電圧部を抵抗とツェナー・ダイオード（Ｚｅｎｅｒ  Ｄｉｏｄｅ）を直列接続したものとできるようにして成ることを特徴とする請求項１記載のパルス幅変調の転換による直流電圧ユニット。
【請求項６】
第二定電圧部を抵抗と抵抗を直列接続したものとできるようにして成ることを特徴とする請求項１記載のパルス幅変調の転換による直流電圧ユニット。
【請求項７】
第二定電圧部を抵抗とツェナー・ダイオード（Ｚｅｎｅｒ  Ｄｉｏｄｅ）を直列接続したものとできるようにして成ることを特徴とする請求項１記載のパルス幅変調の転換による直流電圧ユニット。
【請求項８】
蓄電部材をキャパシタとして成ることを特徴とする請求項１記載のパルス幅変調の転換による直流電圧ユニット。
【手続補正書】
【提出日】平成17年12月13日(2005.12.13)
【手続補正１】
【補正対象書類名】特許請求の範囲
【補正対象項目名】全文
【補正方法】変更
【補正の内容】
【特許請求の範囲】
【請求項１】
所定の遊技情報が表示される表示領域を有する遊技情報表示装置と、
該遊技情報表示装置による表示領域への表示を制御する遊技情報表示制御手段と、
遊技球が通過したことを条件に、前記遊技情報表示装置の表示領域で図柄を可変表示させる始動口又は始動ゲートと、
を備えた弾球遊技機において、
前記遊技情報表示装置は、その表示領域が少なくとも第１表示領域と、第２表示領域とに区画されるとともに、当該遊技情報表示装置の前面側には、前記第１表示領域と第２表示領域との境界部に沿って延びた境界手段が設けられ、境界手段には、第１表示領域又は第２表示領域の図柄が変動している間に、遊技球が前記始動口又は始動ゲートを何個通過したのかを表示するための始動記憶表示器が形成されたことを特徴とする弾球遊技機。
【請求項２】
前記始動記憶手段は、４つのＬＥＤから成ることを特徴とする請求項１記載の弾球遊技機。
【手続補正２】
【補正対象書類名】明細書
【補正対象項目名】０００７
【補正方法】変更
【補正の内容】
【０００７】
請求項１記載の発明は、所定の遊技情報が表示される表示領域を有する遊技情報表示装置と、該遊技情報表示装置による表示領域への表示を制御する遊技情報表示制御手段と、遊技球が通過したことを条件に、前記遊技情報表示装置の表示領域で図柄を可変表示させる始動口又は始動ゲートとを備えた弾球遊技機において、前記遊技情報表示装置は、その表示領域が少なくとも第１表示領域と、第２表示領域とに区画されるとともに、当該遊技情報表示装置の前面側には、前記第１表示領域と第２表示領域との境界部に沿って延びた境界手段が設けられ、境界手段には、第１表示領域又は第２表示領域の図柄が変動している間に、遊技球が前記始動口又は始動ゲートを何個通過したのかを表示するための始動記憶表示器が形成されたことを特徴とする。また請求項２記載の発明は、請求項１記載の弾球遊技機において、前記始動記憶手段は、４つのＬＥＤから成ることを特徴とする。
【手続補正３】
【補正対象書類名】明細書
【補正対象項目名】０００８
【補正方法】変更
【補正の内容】
【０００８】
かかる構成によれば、第１表示領域及び第２表示領域におけるそれぞれの表示が遊技情報表示制御手段で集約的に制御されるとともに、それら第１表示領域と第２表示領域との境界部に境界手段が形成され、当該境界手段には（特図又は普図）始動記憶表示器が形成されている。表示領域における第１表示領域と第２表示領域との区画は、上下或いは左右に区画しても、その他の可能な区画（表示領域の斜め方向等）としてもよい。更に一つの表示領域を３つ以上に区画してそれぞれに所定の遊技情報を表示させるものも含み、この場合、それぞれの境界部の全て又は特定の境界部に境界手段が設けられることとなる。
【手続補正書】
【提出日】平成18年10月3日(2006.10.3)
【手続補正１】
【補正対象書類名】明細書
【補正対象項目名】０００２
【補正方法】変更
【補正の内容】
【０００２】
従来から、身障者や動作が不自由な人などのために、車体上に座席部が設置されていて、該車体の底部に車輪が取り付けてある車椅子または電動車両がある。このような車椅子または電動車両は車体の体積が大きいので、製造、保管及び運搬の便宜上、通常、当業者が前後一対の車体ユニットとして構成しておき、展示や使用時に、始めて前後の車体ユニットを連結してから、例えば椅子などの他の部品を取付けて車体を組み立てる。特許文献１に記載された車体は、図８及び図９に示すように、固定機構により前後一対の車体ユニット１０，２０を略同一の水平面に位置するように脱着可能に連結してなり、且つ、前記前車体ユニット１０の後端縁の上面の略中央部に前記座席部を支持するためのポストロッド１３が立設されている。
【手続補正２】
【補正対象書類名】明細書
【補正対象項目名】０００６
【補正方法】変更
【補正の内容】
【０００６】
即ち、前記前後一対の車体ユニット１０，２０を組み立てようとする時には、まず、前記第１の固定機構で前記前後両車体ユニット１０，２０をそれらの互いに近接する端縁の左右両側で前後に連結し、そして、前記第２の固定機構で更にその中央部をしっかりと連結するという２ステップで完成できる。しかし、前記第２の固定機構による連結は、手順が煩雑であり、特に、前記第１の固定機構による連結をする際、即ち一対の後締結部材２１，２１を前車体ユニット１０の後端縁の一対の前締結部材１１，１１に掛ける時、前記前車体ユニット１０の後端縁はその圧力に押されて該前車体ユニット１０の車輪（図示せず）を中心として下へ沈み込む可能性があるので、組立ての困難さを一層増加するといういろいろな欠点がある。なお、前車体ユニット１０の車輪は、全体が４輪車であれば左右一対、全体が３輪車であればただ一輪であり、他の一対は前記後車体ユニット２０に設けられる。
【特許文献１】台湾特許公告第３７４３１９号公報
【手続補正書】
【提出日】平成17年11月15日(2005.11.15)
【手続補正１】
【補正対象書類名】特許請求の範囲
【補正対象項目名】全文
【補正方法】変更
【補正の内容】
【特許請求の範囲】
【請求項１】
遮断器ユニットを挟んで一方の側に母線ユニットを、他方の側に線路ユニットを有し、更に主回路の電流計測のための第一及び第二変流器ユニットを備えているガス絶縁開閉装置において、
前記遮断器ユニットの一方の側面に、前記第一及び第二変流器ユニットの両方を配置したことを特徴とするガス絶縁開閉装置。
【請求項２】
前記第一及び第二変流器ユニットは、前記遮断器ユニットと前記線路ユニットの間で、かつ、上下に配置されていることを特徴とする請求項１記載のガス絶縁開閉装置。
【請求項３】
前記第一及び第二変流器ユニットは、いずれも変流器が横向きに設置されて構成されていることを特徴とする請求項１又は２記載のガス絶縁開閉装置。
【請求項４】
前記第一及び第二変流器ユニットは、変流器用導体が、変流器コイル内を水平方向に貫通して構成されていることを特徴とする請求項３記載のガス絶縁開閉装置。
【請求項５】
前記第一変流器ユニットの変流器用導体が、前記変流器コイル内を貫通した後に折り返して該変流器コイルの外側を通って同じ方向に戻るように構成されていることを特徴とする請求項４記載のガス絶縁開閉装置。
【請求項６】
前記遮断器ユニットの上側に、前記母線ユニットと前記第一変流器ユニットを接続する導体が配置されていることを特徴とする請求項２記載のガス絶縁開閉装置。
【請求項７】
前記母線ユニットが三相一括型構造を有し、前記第一変流器ユニット及び前記第二変流器ユニットが、いずれも三相分の変流器の外周円が相互に近接するような三角形配置となっていることを特徴とする請求項１記載のガス絶縁開閉装置。
【請求項８】
前記第一変流器ユニットは、三相分の変流器の導体が、それぞれユニット内の第一の端部から変流器を構成するコイルの中心を貫通した後、第二の端部において折り返し、変流器外部の空間を通って前記第一の端部へ向かう経路を有することを特徴とする請求項７記載のガス絶縁開閉装置。
【請求項９】
前記第一変流器ユニットは、第一，第二，第三の変流器をそれぞれの外周が近接するような三角形配置となっており、前記第一の変流器内部を貫通する第一の導体は、前記母線ユニットから前記第一の変流器内部を貫通した後、折り返して前記第二，第三の変流器が近接する外周側部から前記遮断器ユニットへ接続され、前記第二の変流器内部を貫通する第二の導体は、前記母線ユニットから前記第一，第二の変流器が近接する外周側部を通した後、折り返して前記第二の変流器内部を貫通して前記遮断器ユニットに接続され、前記第三の変流器を貫通する第三の導体は、前記母線ユニットから前記第一，第三の変流器が近接する外周側部を通した後、折り返して前記第三の変流器内部を貫通して前記遮断器ユニットに接続されることを特徴とする請求項７記載のガス絶縁開閉装置。
【請求項１０】
上方に配置される前記母線ユニットと前記第一の変流器ユニットの中心位置、及び下方に配置される前記母線ユニットと前記第二の変流器ユニットの中心位置が、いずれも略一致して配置されていることを特徴とする請求項２記載のガス絶縁開閉装置。
【請求項１１】
２つの母線ユニットを結ぶ線路に備えられ、遮断器ユニットと一方の前記母線ユニットとの間に第一変流器ユニットを、前記遮断器ユニットと他方の前記母線ユニットとの間に第二変流器ユニットを配置してなるガス絶縁開閉装置において、
前記第一及び第二変流器ユニットの両方が、前記遮断器ユニットの一方の側に配置されていることを特徴とするガス絶縁開閉装置。
【請求項１２】
２つの前記母線ユニットが前記遮断器ユニットの同一側面に併置され、この２つの前記母線ユニットと前記遮断器ユニットの間に、前記第一及び第二変流器ユニットが配置されていることを特徴とする請求項１１記載のガス絶縁開閉装置。
【請求項１３】
前記第一及び第二変流器ユニットは、いずれも変流器が横向きに設置されて構成されていることを特徴とする請求項１１又は１２記載のガス絶縁開閉装置。
【請求項１４】
一方の前記母線ユニットと前記第一の変流器ユニットの中心位置、及び他方の前記母線ユニットと前記第二の変流器ユニットの中心位置が、いずれも略一致して配置されていることを特徴とする請求項１１記載のガス絶縁開閉装置。
【請求項１５】
前記母線ユニットが三相一括型構造を有し、前記第一変流器ユニット及び前記第二変流器ユニットが、いずれも三相分の変流器の外円周が相互に近接するような三角形配置となっていることを特徴とする請求項１１記載のガス絶縁開閉装置。
【手続補正書】
【提出日】平成18年7月26日(2006.7.26)
【手続補正１】
【補正対象書類名】特許請求の範囲
【補正対象項目名】全文
【補正方法】変更
【補正の内容】
【特許請求の範囲】
【請求項１】
成型アンビルと協働して、ステープルプレフォームを、クラウン部によって結合された少なくとも一対の脚部を有し、前記クラウン部が前記一対の脚部に対して横向きに延びるステープルに屈曲させる成型ダイを備え、
前記成型ダイは、少なくとも第１の成型ダイ部材と第２の成型ダイ部材を有し、
前記成型アンビルは、少なくとも第１の成型アンビル部材と第２の成型アンビル部材を有し、
前記第１の成型ダイ部材は前記第２の成型ダイ部材に対して相対的に移動可能であり、
前記第１の成型アンビル部材は前記第２の成型アンビル部材に対して相対的に移動可能であることを特徴とするステープラ。
【請求項２】
第１の打ち込みアセンブリ部材と第２の打ち込みアセンブリ部材を有し、前記第１の打ち込みアセンブリ部材は前記第２の打ち込みアセンブリ部材に対して相対的に移動可能である打ち込みアセンブリをさらに備えたことを特徴とする請求項１に記載のステープラ。
【請求項３】
第１のクリンチアンビル部材と第２のクリンチアンビル部材を有し、前記第１のクリンチアンビル部材は前記第２のクリンチアンビル部材に対して相対的に移動可能であるクリンチアンビルをさらに備えたことを特徴とする請求項１に記載のステープラ。
【請求項４】
前記ステープルのクラウン部は第１の方向に沿って延びており、前記第１の成型ダイ部材は前記第２の成型ダイ部材に対して前記第１の方向に沿って相対的に移動可能であることを特徴とする請求項１に記載のステープラ。
【請求項５】
前記ステープラは少なくとも第１の作動状態と第２の作動状態を有し、
前記第１の作動状態において、前記ステープラは第１のクラウン長を持つ少なくとも第１のステープルを形成するように構成され、前記第１の成型ダイ部材の少なくとも一部は前記第２の成型ダイ部材の少なくとも一部から第１の距離だけ離れており、
前記第２の作動状態において、前記ステープラは第２のクラウン長を持つ少なくとも第２のステープルを形成するように構成され、前記第１の成型ダイ部材の前記少なくとも一部は前記第２の成型ダイ部材の前記少なくとも一部から第２の距離だけ離れており、
前記第１のクラウン長は前記第２のクラウン長と第１の量だけ異なっており、
前記第１の距離は前記第２の距離と前記第１の量だけ異なっていることを特徴とする請求項１から４のいずれか一つに記載のステープラ。
【請求項６】
成型アンビルと協働して、ステープルプレフォームを、クラウン部によって結合された少なくとも一対の脚部を有し、前記クラウン部が前記一対の脚部に対して第１の方向に延びるステープルに屈曲させる成型ダイを備え、
前記成型ダイは、少なくとも第１の成型ダイ部材と第２の成型ダイ部材を有し、
前記第１の成型ダイ部材は前記第２の成型ダイ部材に対して前記第１の方向に相対的に移動可能であることを特徴とするステープラ。
【請求項７】
第１の打ち込みアセンブリ部材と第２の打ち込みアセンブリ部材を有し、前記第１の打ち込みアセンブリ部材は前記第２の打ち込みアセンブリ部材に対して前記第１の方向に相対的に移動可能である打ち込みアセンブリをさらに備えたことを特徴とする請求項６に記載のステープラ。
【請求項８】
第１のクリンチアンビル部材と第２のクリンチアンビル部材を有し、前記第１のクリンチアンビル部材は前記第２のクリンチアンビル部材に対して前記第１の方向に相対的に移動可能であるクリンチアンビルをさらに備えたことを特徴とする請求項６に記載のステープラ。
【請求項９】
前記ステープラは少なくとも第１の作動状態と第２の作動状態を有し、
前記第１の作動状態において、前記ステープラは第１のクラウン長を持つ少なくとも第１のステープルを形成するように構成され、前記第１の成型ダイ部材の少なくとも一部は前記第２の成型ダイ部材の少なくとも一部から第１の距離だけ離れており、
前記第２の作動状態において、前記ステープラは第２のクラウン長を持つ少なくとも第２のステープルを形成するように構成され、前記第１の成型ダイ部材の前記少なくとも一部は前記第２の成型ダイ部材の前記少なくとも一部から第２の距離だけ離れており、
前記第１のクラウン長は前記第２のクラウン長と第１の量だけ異なっており、
前記第１の距離は前記第２の距離と前記第１の量だけ異なっていることを特徴とする請求項６に記載のステープラ。
【請求項１０】
成型アンビルと協働して、ステープルプレフォームを、クラウン部によって結合された少なくとも一対の脚部を有し、前記クラウン部が前記一対の脚部に対して第１の方向に延びるステープルに屈曲させる成型ダイを備えたステープラによってステープル留めされた書類を作成する方法であって、
少なくとも第１の成型ダイ部材と第２の成型ダイ部材を有する成型ダイを準備することと、
媒体スタックを構成するシートの１枚に少なくとも１つの画像を形成することと、
前記媒体スタックを前記ステープラに搬送することと、
ステープルについて所望のクラウン寸法を決定することと、
前記第１の成型ダイ部材を前記第２の成型ダイ部材を前記第１の方向に相対的に移動させることにより前記クラウン寸法を有する前記ステープルを形成することと、
前記媒体スタックを前記ステープルでステープル留めして、前記ステープル留めされた書類を作成することと、
を有することを特徴とする方法。
【手続補正書】
【提出日】平成18年6月29日(2006.6.29)
【手続補正１】
【補正対象書類名】特許請求の範囲
【補正対象項目名】全文
【補正方法】変更
【補正の内容】
【特許請求の範囲】
【請求項１】
第１の回転方向に回転する研磨パッドに対してパッドドレッサを回転させることによって研磨パッドをドレッシングし、
研磨パッドにスラリーを供給し、
前記第１の回転方向とは反対方向の第２の回転方向に研磨パッドが回転するように研磨パッドを逆転させ、
前記研磨パッドを第２の回転方向に回転させながら、回転する研磨パッドに対してウエハを回転させることによってウエハを化学的機械的に研磨し、
前記パッドドレッサ、研磨パッドおよびウエハの回転方向は、回転の組み合わせI、III、VからVIII、およびXからXIIIの中から選択され、
前記回転の組み合わせI、III、VからVIII、およびXからXIIIは
【表１】
2004066450.tif 000001
のように定義され、ここで＋は時計回りの回転を示し−は反時計回りの回転を示すことを特徴とする化学的機械研磨およびパッドドレッシング方法。
【請求項２】
ドレッシングは約１秒から約６００秒までの間行なうことを特徴とする請求項１記載の方法。
【請求項３】
ドレッシングは約１０秒の間行なうことを特徴とする請求項１記載の方法。
【請求項４】
研磨は約５秒から約６００秒までの間行なうことを特徴とする請求項１記載の方法。
【請求項５】
研磨は約１０秒の間行なうことを特徴とする請求項１記載の方法。
【請求項６】
研磨はエクスサイチュー（ex-situ）で行なうことを特徴とする請求項１記載の方法。
【請求項７】
研磨はインサイチュー（in-situ）で行なうことを特徴とする請求項１記載の方法。
【請求項８】
研磨パッドは、研磨中、約５ｒｐｍから約２５０ｒｐｍの範囲内で回転することを特徴とする請求項１記載の方法。
【請求項９】
ウエハは、研磨中、約１０ｒｐｍから約２５０ｒｐｍの範囲内で回転することを特徴とする請求項１記載の方法。
【請求項１０】
ウエハおよび研磨パッドの両方は、研磨中、約６０ｒｐｍの速度で回転することを特徴とする請求項１記載の方法。
【請求項１１】
パッドドレッサは、ドレッシング中、約５ｒｐｍから約３００ｒｐｍの範囲内で回転することを特徴とする請求項１記載の方法。
【請求項１２】
研磨パッドは、研磨パッドのドレッシング中、約５ｒｐｍから約１００ｒｐｍの範囲内で回転することを特徴とする請求項１記載の方法。
【請求項１３】
パッドドレッサは、ドレッシング中、約４０ｒｐｍで回転し、研磨パッドは、ドレッシング中、約３８ｒｐｍで回転することを特徴とする請求項１記載の方法。
【請求項１４】
前記ドレッシングの後そして前記スラリの供給前に、前記パッドドレッサの回転および研磨パッドの回転をそれぞれ停止し、前記ウエハの研磨は前記スラリの供給の後に新たなウエハを保持して行なうことからなることを特徴とする請求項１記載の方法。
【手続補正２】
【補正対象書類名】明細書
【補正対象項目名】０００９
【補正方法】変更
【補正の内容】
【０００９】
本発明の１態様によれば、化学的機械研磨およびパッドドレッシング方法は、第１の回転方向に回転する研磨パッドに対してパッドドレッサを回転させることによって研磨パッドをドレッシングし、研磨パッドにスラリーを供給し、前記第１の回転方向とは反対方向の第２の回転方向に研磨パッドが回転するように研磨パッドを逆転させ、前記研磨パッドを第２の回転方向に回転させながら、回転する研磨パッドに対してウエハを回転させることによってウエハを化学的機械的に研磨することからなる。研磨及び／又はパッドドレッシングの間、ヘッド、研磨パッド、またはパッドドレッサは他の回転要素とは反対方向に回転する。